(57)【要約】【課題】  プレスキャンなしに読み取り原稿の範囲（原稿領域）を任意に指定できることで、厚みを持った原稿等であっても正確にその読み取りを行える画像読取装置を提供する。【解決手段】  原稿載置台の外縁部分に、原稿載置台に向け可視光線を照射する発光器を、主走査方向に移動可能に１つ（７ａ）と、副走査方向に移動可能に１つ（７ｂ）、さらに、２つの発光器（７ａ，７ｂ）の位置を検出するための位置検出手段を設け、基準位置と位置検出手段により検出される２つの発光器（７ａ，７ｂ）の主走査方向及び副走査方向の位置とにより定まる領域を、原稿領域として扱う制御手段（１）を備える。【選択図】        図１
2005327181.tif 000002
【特許請求の範囲】
【請求項１】
原稿載置台の外縁部分に、原稿載置台に向け可視光線を照射する発光器を、主走査方向に移動可能に１つと、副走査方向に移動可能に１つ、さらに、前記２つの発光器の位置を検出するための位置検出手段を設け、
基準位置と前記位置検出手段により検出される前記２つの発光器の主走査方向及び副走査方向の位置とにより定まる領域を、原稿領域として扱う制御手段を具備した
ことを特徴とする画像読取装置。
【請求項２】
前記各発光器は、レーザー光を照射する発光手段を具備する
ことを特徴とする請求項１に記載の画像読取装置。
【発明の詳細な説明】
【技術分野】
【０００１】
本発明は、複写機、スキャナー、及びこれらの機能を有する複合機等に備わる画像読取装置に関する。
【背景技術】
【０００２】
現状のスキャナー等の画像読取装置では、書籍等の厚みを持った原稿を読み取る場合、原稿押さえ（プラテンカバー）が完全に閉まりきらないために、スキャンする際、原稿周囲で漏れ光が発生する。この結果、原稿から読み取ったイメージデータを画像形成すると、スキャンした対象物（原稿）の周囲が黒くなり、縁がついたような出力結果となる。
これまで提案されているこの問題を解決する技術としては、単に読み取り位置を確認するだけのものや（例えば、特許文献１）、プレスキャンすることで読み取り原稿の範囲指定をするものがある（例えば、特許文献２）。
【特許文献１】特開平９−００５８９５号公報
【特許文献２】特開平１０−１９０９６９号公報
【発明の開示】
【発明が解決しようとする課題】
【０００３】
現在では、読み取り原稿の範囲指定をするためプレスキャンする画像読取装置が普及しつつあるが、原稿の範囲を指定するために、プレスキャンした画像を表示するための表示部が必要であり、その分コストアップとなる。また、プレスキャンのためにかなりの電力を消費してしまう問題がある。
本発明は、上記の点に鑑みてなされたもので、プレスキャンなしに読み取り原稿の範囲（原稿領域）を任意に指定できることで、厚みを持った原稿等であっても正確にその読み取りを行える画像読取装置を提供するものである。
【課題を解決するための手段】
【０００４】
上記課題を解決するため、請求項１に記載の発明の画像読取装置は、原稿載置台の外縁部分に、原稿載置台に向け可視光線を照射する発光器を、主走査方向に移動可能に１つと、副走査方向に移動可能に１つ、さらに、前記２つの発光器の位置を検出するための位置検出手段を設け、基準位置と前記位置検出手段により検出される前記２つの発光器の主走査方向及び副走査方向の位置とにより定まる領域を、原稿領域として扱う制御手段を具備したことを特徴としている。
【０００５】
また、請求項２に記載の発明は、請求項１に記載の画像読取装置において、前記各発光器は、レーザー光を照射する発光手段を具備することを特徴としている。
【発明の効果】
【０００６】
本発明によれば、照射される可視光を基に原稿領域を正確に設定することができるので、厚みを持った原稿等であっても正確にその読み取りを行うことができる。
【発明を実施するための最良の形態】
【０００７】
以下、本発明の実施の形態を、図面を参照して説明する。
なお、各図において共通する部分には、同一の符号を附している。
【０００８】
図１に示す符号１のＣＰＵは、本実施形態の画像読取装置１０の各部を制御するための中央処理装置である。また、ＲＯＭ２には、ＣＰＵ１が実行する制御プログラム等が記憶されている。また、ＲＡＭ３は、ＣＰＵ１のメインメモリとして機能する他、ＣＰＵ１による各種演算結果やその他のデータを一時記憶する記憶手段である。
ＣＰＵ１は、ＲＯＭ２に記録された制御プログラムをメインメモリとしてのＲＡＭ３へロードして実行することにより各部の制御を行う。
【０００９】
ＬＡＭＰ４は、反射鏡と露光ランプからなり、原稿載置台（コンタクトガラス）（図２：符号８０参照）に載置される原稿に向かって光を照射し、その反射光を反射鏡によりさらに反射させＣＣＤ５に受光させる。ＣＣＤ５は、ＬＡＭＰ４が照射した光が原稿やプラテンカバーによって反射された光を受光しこれを光電変換し、電気信号にして出力する。ＡＳＩＣ６は、ＣＣＤ５の出力信号を所定形式の画像データにするなどの画像処理を行う特定用途向け集積回路である。
【００１０】
発光器７ａ，７ｂは、それぞれ主走査方向と副走査方向に移動可能に原稿載置台の外縁部に設けられ（図２参照）、それぞれ副走査方向と主走査方向に向け可視光であるレーザー光を照射できるように構成されている。また、発光器７ａ，７ｂの位置を検出するための位置検出器が設けられるが、本実施の形態ではこの位置検出器が発光器７ａ，７ｂのそれぞれに内蔵されているものとする。
また、ＳＴＥＰ  ＭＯＴＯＲ８は、ＬＡＭＰ４を駆動するステッピングモーターであり、Ｄｒｉｖｅｒ９は、このＳＴＥＰ  ＭＯＴＯＲ８の駆動制御をするドライバ・デバイスである。
【００１１】
ここで、発光器７ａ，７ｂの構成（概略）について、図３を参照し説明する。
【００１２】
同図に示す符号７０は、可視光であるレーザー光を照射するレーザー発光部であり、発光器７ａ，７ｂの開口部を通してレーザー光を発光器外部の原稿載置台（図２：符号８０参照）に向けて照射する。
また、発光器７ａ，７ｂの内部には、それぞれに、ＬＥＤ７１と、車輪７２と、受光部７３が設けられており、これらにより、発光器７ａ，７ｂそれぞれの位置を検出するための位置検出部（位置検出手段）を構成している。
【００１３】
車輪７２の外周部にはスリットが設けられ、ＬＥＤ７１から発せられる光は、このスリットにより透過または遮断される。また、この車輪７２は、発光器７ａ，７ｂの移動とともにその移動量に応じて回転するように、原稿載置台の外縁部に接するように設置されている。この構成により、発光器７ａ，７ｂの移動とともに、ＬＥＤ７１から照射される光は、回転する車輪７２のスリットにより透過と遮断が繰り返され、受光部７３は、これを検出し、ＬＥＤ７１からの光の透過／遮断の回数をカウントする。このカウントは、正方向（発光器７ａの場合は主走査方向、発光器７ｂの場合は副走査方向）に移動している場合は、透過／遮断の回数を加算し、逆方向（負方向）に移動している場合は、透過／遮断の回数を減算して行う。
【００１４】
ＣＰＵ１は、図示しない信号線を通して受光部７３から供給される、光の透過／遮断の回数のデータを受け、これに基づき発光器７ａ，７ｂの基準位置からの移動量を算出し、各発光器７ａ，７ｂの位置を算出する。そして、読み取り原稿の範囲を定める。
なお、同図に示す回転ローラー７４は、各発光器７ａ，７ｂを支持するためのものであり、各発光器７ａ，７ｂのそれぞれに内蔵され、車輪７２と同様に発光器７ａ，７ｂの移動とともに回転する。
【００１５】
位置検出部は、同図に示すようにＬＥＤ７１と、車輪７２と、受光部７３とから構成される他、車輪７２が移動する原稿載置台の外縁部上にマイクロスイッチを並べて配置し、ＯＮ状態にあるマイクロスイッチの位置を発光器７ａ，７ｂの位置として検出するように構成してもよい。あるいは、ＬＥＤ７１の発光を検出する受光器を原稿載置台の外縁部に並べて配置し、ＬＥＤ７１の発光を検出した受光器の位置を発光器７ａ，７ｂの位置として検出するように構成してもよい。
【００１６】
あるいは、原稿載置台の外縁部にリニアボリュームを設け、発光器７ａ，７ｂの移動によりこのリニアボリュームの抵抗値が変わるようにし、検出される抵抗値から発光器７ａ，７ｂの位置を算出するように構成してもよい。あるいは、発光器７ａ，７ｂから照射されるレーザー光を受光する受光器を、発光器７ａ，７ｂが設置される外縁部と原稿載置台を挟んで反対側に位置する外縁部に並べて配置し、レーザー光を検出した受光器の位置から発光器７ａ，７ｂの位置を得るように構成してもよい。
【００１７】
また、本実施の形態では、各発光器７ａ，７ｂの位置を、発光器７ａ，７ｂの位置検出部から与えられるデータを基にＣＰＵ１が算出するものとしているが、各発光器７ａ，７ｂのそれぞれに内蔵された位置検出部の受光部７３にて算出するように構成し、その結果をＣＰＵ１に与えるようにしてもよい。
【００１８】
次に、このように構成された本実施形態の画像読取装置１０の動作について、図４を参照し説明する。
【００１９】
ユーザーによる所定操作により読み取り原稿の範囲指定のための所定操作がなされると、発光器７ａ，７ｂは、レーザー光を照射する（ステップＳ０１）
この後、ユーザーによって、読み取り原稿の範囲を指定するため、発光器７ａ，７ｂの移動操作が行われる。具体的には、ユーザーが、発光器７ａ，７ｂをそれぞれ主走査方向と副走査方向にスライドさせ、各発光器７ａ，７ｂから照射されるレーザー光の軌跡が原稿の終端部分に沿う位置となるまで移動される。例えば、図２に示す例では、領域Ａが読み取り原稿の範囲となる。そして、読み取り原稿の範囲が決まると、ユーザーにより範囲決定を指示する所定操作がなされる。
【００２０】
ＣＰＵ１は、上記指示を受けると、ステップＳ０２の判断にて、読み取り原稿の範囲が決定されたと判定する（ＹＥＳの判定）。
上記判定後、ステップＳ０３にて発光器７ａ，７ｂのレーザー光の照射を停止する。
最後に、位置検出器から供給されるデータを基に、各発光器７ａ，７ｂの位置を算出し、これにより定まる領域を読み取り原稿の範囲（原稿領域）として設定する（ステップＳ０４）。
【００２１】
以後、原稿読み取りの操作がなされると、上記ステップＳ０４にて設定された読み取り原稿の範囲を原稿領域として、原稿の読み取りを行う。当該画像読取装置１０が、複写機等の画像形成装置に設けられたものである場合、以上のようにして設定された範囲（原稿領域）のみ画像形成を行う。
なお、上記で説明した動作フローは一例であり、上記の処理の流れに限定されるものではない。
【００２２】
以上、この発明の実施形態を、図面を参照して詳述してきたが、具体的な構成はこの実施形態に限られるものではなく、この発明の要旨を逸脱しない範囲の構成等も含まれることは言うまでもない。
【図面の簡単な説明】
【００２３】
【図１】本発明の一実施の形態である画像読取装置の電気的構成を示すブロック図である。
【図２】同実施の形態における、発光器によるレーザー光照射時の画像読取装置の概念図である。
【図３】同実施の形態の発光器の機構構成（概略）を示す図である。
【図４】同実施の形態の画像読取装置の動作フローの一例である。
【符号の説明】
【００２４】
１…ＣＰＵ（制御手段）
２…ＲＯＭ
３…ＲＡＭ
４…ＬＡＭＰ
５…ＣＣＤ
６…ＡＳＩＣ
７ａ，７ｂ…発光器
８…ＳＴＥＰ  ＭＯＴＯＲ
９…Ｄｒｉｖｅｒ
１０…画像読取装置
７０…レーザー発光部（発光手段）
７１…ＬＥＤ
７２…車輪
７３…受光部
７４…回転ローラー
８０…原稿載置台
【図１】
2005327181.tif 000003
【図２】
2005327181.tif 000004
【図３】
2005327181.tif 000005
【図４】
2005327181.tif 000006